(57)【要約】【課題】別部材として形成された股部と前腹部とが接合されたパンツ構造において、前腹部の伸縮性を確保しつつ、股部と前腹部との接合をしっかりと行うことができる使い捨てパンツを提供する。【解決手段】この使い捨てパンツ１は、パンツ及びおむつの両機能を併有するものであり、左右の破断部１７ａ，１７ｂを破断することにより、左前腹部２ａ及び右前腹部２ｂを左右に展開できる。左前腹部２ａ及び右前腹部２ｂには、中前腹部２ｃの付着部２３ａ，２３ｂに着脱される付着片２２ａ，２２ｂが設けられる。吸収体４３が設けられた股部４は、弾性部材１９ｃによる中前腹部２ｃの伸縮性を阻害しないように、シート材４５ａ，４５ｂを用いて中前腹部２ｃに連結されている。【選択図】図４
2006158607.tif 000002
【特許請求の範囲】
【請求項１】
略環状に連なる前腹部及び後背部と、
前記前腹部及び前記後背部間に連なって設けられる股部と、
前記股部に設けられた吸収体と、
前記前腹部における前記股部の前側部分が接合される部分の左右両側に設けられ、前記前腹部を破断するための左右の破断部と、
前記前腹部における前記左右の破断部よりも左右方向外方側の部分に連結された左右の付着片と、
前記前腹部の外面側における前記左右の破断部の間に設けられ、前記左右の付着片が着脱される付着部と、
前記前腹部における前記左右の破断部の間に位置する中間領域に設けらた弾性伸縮部材と、
その一端側が前記前腹部の前記中間領域に接合され、その他端側が前記股部の前記前側部分に接合されて、前記前腹部と前記股部とを連結するシート材と、
を備えることを特徴とする使い捨てパンツ。
【請求項２】
略環状に連なる前腹部及び後背部と、
前記前腹部及び前記後背部間に連なって設けられる股部と、
前記股部に設けられた吸収体と、
前記前腹部における前記股部の前側部分が接合される部分の左右両側に設けられ、前記前腹部を破断するための左右の破断部と、
前記前腹部における前記左右の破断部よりも左右方向外方側の部分に連結された左右の付着片と、
前記前腹部の外面側における前記左右の破断部の間に設けられ、前記左右の付着片が着脱される付着部と、
前記前腹部における前記左右の破断部の間に位置する中間領域に設けらた弾性伸縮部材と、
前記股部の前記前側部分における前記前腹部の前記中間領域との対向面において、左右方向に間隔をあけて設けられ、前記股部の前記前側部分と前記中間領域とを連結する複数の連結部と、
を備えることを特徴とする使い捨てパンツ。
【請求項３】
略環状に連なる前腹部及び後背部と、
前記前腹部及び前記後背部間に連なって設けられる股部と、
前記股部に設けられた吸収体と、
前記前腹部における前記股部の前側部分が接合される部分の左右両側に設けられ、前記前腹部を破断するための左右の破断部と、
前記前腹部における前記左右の破断部よりも左右方向外方側の部分に接合された左右の付着片と、
前記前腹部の外面側における前記左右の破断部の間に設けられ、前記左右の付着片が着脱される付着部と、
前記前腹部の前記左右の破断部の間に位置する中間領域における上方側に部分的に設けられた第１の弾性伸縮部材と、
を備え、
前記股部の前記前側部分の前記中間領域と対向する部分は、前記吸収体が前記中間領域内における前記第１の弾性伸縮部材が設けられた領域と重ならないようにその領域の下側に配置された状態で、肌面側から前記中間領域に接合されていることを特徴とする使い捨てパンツ。
【請求項４】
請求項３に記載の使い捨てパンツにおいて、
前記股部の前記前側部分における前記吸収体の端部よりも上側に位置する部分に設けられた第２の弾性伸縮部材をさらに備えることを特徴とする使い捨てパンツ。
【請求項５】
請求項４に記載の使い捨てパンツにおいて、
前記第１の弾性伸縮部材は、前記中間領域の左右端から第１の所定寸法だけ左右方向内方側の領域に設けられ、
前記第２の弾性伸縮部材は、前記前側部分の左右端から第２の所定寸法だけ左右方向内方側の領域に設けられることを特徴とする使い捨てパンツ。
【発明の詳細な説明】
【技術分野】
【０００１】
本発明は、パンツとしてもおむつとしても利用可能な使い捨てパンツに関する。
【背景技術】
【０００２】
この種の従来の使い捨てパンツとしては、特許文献１に記載の技術がある。この特許文献１に記載のパンツでは、前身頃の左右両側に切断線を設け、その切断線の部分で前身頃を切り離し可能とするとともに、前身頃及び後身頃の左右の接合部に接合された付着片を設けている。そして、切断線により前身頃を切り離した際に、左右の付着片により前身頃と後身頃との締結を行うようになっている。また、前身頃の腰回りの部分には、弾性伸縮部材が設けられている。
【０００３】
【特許文献１】特開平５−３１７３５６号公報
【発明の開示】
【発明が解決しようとする課題】
【０００４】
前述のようにように、上記従来の使い捨てパンツにおいても、その前身頃の腰回りの部分に弾性伸縮部材が設けられているが、このパンツは、前腹部、股部、後背部にかけての部分が一体に形成された構造であり、股部と前腹部とを別部材として形成した後、接合する本発明に係る使い捨てパンツとは前提となる構造が相違している。
【０００５】
すなわち、本発明のように、前腹部と股部とを別部材とした構造の場合、前腹部の収縮性を確保しつつ、吸収体を有する股部を前腹部に如何に接合するかが大きな課題となるのであるが、上記従来の使い捨てパンツにおいては前腹部と股部とが一体になった構造のため、このような問題は生じない。
【０００６】
そこで、本発明の解決すべき課題は、別部材として形成された股部と前腹部とが接合されたパンツ構造において、前腹部の伸縮性を確保しつつ、股部と前腹部との接合をしっかりと行うことができる使い捨てパンツを提供することである。
【課題を解決するための手段】
【０００７】
上記の課題を解決するため、請求項１の発明では、略環状に連なる前腹部及び後背部と、前記前腹部及び前記後背部間に連なって設けられる股部と、前記股部に設けられた吸収体と、前記前腹部における前記股部の前側部分が接合される部分の左右両側に設けられ、前記前腹部を破断するための左右の破断部と、前記前腹部における前記左右の破断部よりも左右方向外方側の部分に連結された左右の付着片と、前記前腹部の外面側における前記左右の破断部の間に設けられ、前記左右の付着片が着脱される付着部と、前記前腹部における前記左右の破断部の間に位置する中間領域に設けらた弾性伸縮部材と、その一端側が前記前腹部の前記中間領域に接合され、その他端側が前記股部の前記前側部分に接合されて、前記前腹部と前記股部とを連結するシート材とを備える。
【０００８】
また、請求項２の発明では、略環状に連なる前腹部及び後背部と、前記前腹部及び前記後背部間に連なって設けられる股部と、前記股部に設けられた吸収体と、前記前腹部における前記股部の前側部分が接合される部分の左右両側に設けられ、前記前腹部を破断するための左右の破断部と、前記前腹部における前記左右の破断部よりも左右方向外方側の部分に連結された左右の付着片と、前記前腹部の外面側における前記左右の破断部の間に設けられ、前記左右の付着片が着脱される付着部と、前記前腹部における前記左右の破断部の間に位置する中間領域に設けらた弾性伸縮部材と、前記股部の前記前側部分における前記前腹部の前記中間領域との対向面において、左右方向に間隔をあけて設けられ、前記股部の前記前側部分と前記中間領域とを連結する複数の連結部とを備える。
【０００９】
また、請求項３の発明では、略環状に連なる前腹部及び後背部と、前記前腹部及び前記後背部間に連なって設けられる股部と、前記股部に設けられた吸収体と、前記前腹部における前記股部の前側部分が接合される部分の左右両側に設けられ、前記前腹部を破断するための左右の破断部と、前記前腹部における前記左右の破断部よりも左右方向外方側の部分に接合された左右の付着片と、前記前腹部の外面側における前記左右の破断部の間に設けられ、前記左右の付着片が着脱される付着部と、前記前腹部の前記左右の破断部の間に位置する中間領域における上方側に部分的に設けられた第１の弾性伸縮部材とを備え、前記股部の前記前側部分の前記中間領域と対向する部分は、前記吸収体が前記中間領域内における前記第１の弾性伸縮部材が設けられた領域と重ならないようにその領域の下側に配置された状態で、肌面側から前記中間領域に接合されている。
【００１０】
また、請求項４の発明では、請求項３の発明に係る使い捨てパンツにおいて、前記股部の前記前側部分における前記吸収体の端部よりも上側に位置する部分に設けられた第２の弾性伸縮部材をさらに備える。
【００１１】
また、請求項５の発明では、前記第１の弾性伸縮部材は、前記中間領域の左右端から第１の所定寸法だけ左右方向内方側の領域に設けられ、前記第２の弾性伸縮部材は、前記前側部分の左右端から第２の所定寸法だけ左右方向内方側の領域に設けられる。
【発明の効果】
【００１２】
請求項１に記載の発明によれば、シート材を用いて股部を前腹部の中間領域に連結するため、シート材の余裕長の分だけ、股部に実質的に影響されずに前腹部の中間領域が自由に伸縮することができ、その結果、弾性伸縮部材による前腹部の中間領域の伸縮性を確保しつつ、股部と前腹部との連結をしっかりと行うことができる。
【００１３】
請求項２に記載の発明によれば、左右方向に間隔をあけて設けられた複数の連結部によって股部の前側部分と前腹部の中間領域とを連結するため、前腹部の中間領域の伸縮に応じて、前腹部と連結されていない股部の連結部の間に位置する部分が柔軟に変形し得る。このため、股部の中間領域の伸縮に対する影響を軽減することができ、その結果、弾性伸縮部材による前腹部の中間領域の伸縮性を確保しつつ、股部と前腹部との連結をしっかりと行うことができる。
【００１４】
請求項３に記載の発明によれば、前腹部の第１の弾性伸縮部材が設けられた領域から吸収体を下方にずらした状態で、股部の前側部分を前腹部の中間領域に接合するため、第１の弾性伸縮部材が設けられた中間領域の部分の伸縮性が、伸縮性に乏しい股部の吸収体によって阻害されるのを防止して、第１の弾性伸縮部材による中間領域の伸縮性を確保しつつ、股部を前腹部にしっかりと接合することができる。
【００１５】
また、前腹部の第１の弾性伸縮部材が設けられた領域から吸収体が下方にずらされているため、股部と前腹部の中間領域との対向面の実質的に全面で接着剤等による接合を行っても、第１の弾性伸縮部材による中間領域の伸縮性を維持することができる。
【００１６】
請求項４に記載の発明によれば、股部の前記前側部分における吸収体の端部よりも上側に位置する部分に第２の弾性伸縮部材を設けることにより、前腹部の中間領域の伸縮性を維持又は増強することができる。
【００１７】
請求項５に記載の発明によれば、前腹部の中間領域及び股部の前側部分の上側部分における左右縁部は弾性伸縮部材が設けられておらず、縮まないため、その部分を介護者がつまみやすい。その結果、例えば、介護者が前腹部の中間領域及び股部の前側部分の上側部分における左右縁部をつまんで中間領域及び股部の前側部分の弾性伸縮部材を引き伸ばしながら着用者の肌に添わせる等の作業を容易に行うことができる。
【発明を実施するための最良の形態】
【００１８】
［第１実施形態］
［概略説明］
図１ないし図４を参照して、本発明の第１実施形態に係る使い捨てパンツ１について説明する。この使い捨てパンツ１は、図１ないし図４に示すように、略環状に連なる前腹部２及び後背部３と、その前腹部２及び後背部３間に連なって設けられる股部４とを備えて構成され、パンツとしてもおむつとしても利用可能となっている。なお、この使い捨てパンツ１の説明において、左及び右とは着用者から見て左手側及び右手側を指すものとする。
【００１９】
前腹部２及び後背部３とは、この使い捨てパンツ１における主に着用者の前腹部及び後背部に面する部分を指す。前腹部２の左右の縁部と後背部３の左右の縁部とは互いに接合され、これによって前腹部２と後背部３とは略環状に連なっている。このため、使い捨てパンツ１の左右の縁部には、前腹部２の左右の縁部と後背部３の左右の縁部とを接合する左サイド接合部１１ａ及び右サイド接合部１１ｂが形成されている。このサイド接合部１１ａ，１１ｂでの接合は、接着剤、例えばホットメルト接着剤による接着と超音波溶着（あるいは、加熱溶着）とのいずれか一方、又はその両方の併用により行われる。
【００２０】
股部４とは、この使い捨てパンツ１における主に着用者の股部に面する部分を指し、その前股部４ａ及び後股部４ｂがそれぞれ前腹部２及び後背部３にそれぞれ連なっている。本実施形態では、股部４の前股部（前側部分）４ａ及び後股部４ｂが前腹部２及び後背部３に接着剤、例えばホットメルト接着剤により接合されている。なお、変形例として、股部４を後背部３と連続した部材により一体に形成してもよい。
【００２１】
このように略環状に連なった前腹部２及び後背部３の上縁部１２，１３によりウエスト開口部Ｑが形成されている。前腹部２の左前腹部２ａの下縁部１４ａ、後背部３の左斜め下の傾斜状の縁部１５ａ、及び股部４の左縁部１６ａにより左脚開口部Ｒａが形成されている。前腹部２の右前腹部２ｂの下縁部１４ｂ、後背部３の右斜め下の傾斜状の縁部１５ｂ、及び股部４の右縁部１６ｂにより右脚開口部Ｒｂが形成されている。
【００２２】
［前腹部］
前腹部２は、図１に示す伸張させた状態では、全体形状としては平面視略横長矩形状であり、左前腹部２ａ、右前腹部２ｂ、及びそれらの中間に位置する中前腹部２ｃを備えている。中前腹部２ｃは本発明の中間領域に相当している。左前腹部２ａと中前腹部２ｃとの間には、前腹部２を上下に縦断する左破断部１７ａが形成され、右前腹部２ｂと中前腹部２ｃとの間には、前腹部２を上下に縦断する右破断部１７ｂが形成されている。破断部１７ａ，１７ｂは、図２に示すように、ミシン目等により形成され、この破断部１７ａ，１７ｂを破断することにより、図３に示すように、前腹部２を破断部１７ａ，１７ｂの部分で切り離して展開できるようになっている。ここで、破断部１７ａ，１７ｂは、図２に示すように直線状に形成してもよいし、必要に応じて曲線状に形成してもよい。
【００２３】
左前腹部２ａ、右前腹部２ｂ及び中前腹部２ｃの上縁部１２ａ，１２ｂ，１２ｃには、ウエスト用弾性部材１９ａ，１９ｂ，１９ｃが左右方向に伸張された状態で取り付けられている。左前腹部２ａ、右前腹部２ｂ及び中前腹部２ｃの下縁部１４ａ，１４ｂ，１４ｃには脚用弾性部材２０ａ，２０ｂ及び前腹下部用弾性部材２０ｃが左右方向に伸張された状態で取り付けられている。左前腹部２ａ、右前腹部２ｂ及び中前腹部２ｃの上縁部１２ａ，１２ｂ，１２ｃと下縁部１４ａ，１４ｂ，１４ｃとの間の部分には、ボディ用弾性部材２１ａ，２１ｂ，２１ｃが左右方向に伸張された状態で取り付けられている。このうち、弾性部材１９ｃ，２０ｃ，２１ｃが本発明に係る前腹部２の中間領域に設けられる弾性伸縮部材に相当している。
【００２４】
これらの弾性部材１９ａ〜１９ｃ，２０ａ〜２０ｃ，２１ａ〜２１ｃの収縮・伸張により、前腹部２が着用者の腹部に沿うように柔らかくフィットすることができる。
【００２５】
このような前腹部２は、図４に示すように、肌面側の内層シート５７と、外側の外層シート５８との間に弾性部材１９ａ〜１９ｃ，２０ａ〜２０ｃ，２１ａ〜２１ｃを挟み込んで構成されている。
【００２６】
ここで、これらの弾性部材１９ａ〜１９ｃ，２０ａ〜２０ｃ，２１ａ〜２１ｃは、前腹部２の製造工程において、前腹部２の長手方向（着用時の左右方向）に沿って連続的に前腹部２に配設された後、破断部１７ａ，１７ｂの周辺に位置する部分（より具体的には、付着片２２ａ，２２ｂの接合部及び付着部２３ａ，２３ｂの配設部に対応する部分）について弱化処理が施されるようになっている。弱化処理とは、弾性部材１９ａ〜１９ｃ，２０ａ〜２０ｃ，２１ａ〜２１ｃを部分的に切断したり、収縮力を弱める処理を行う等により、ノーテンション状態とすることである。
【００２７】
左前腹部２ａ及び右前腹部２ｂの外面側における中前腹部２ｃ側の端部には、略シート状の左付着片２２ａ及び右付着片２２ｂが接着剤、例えばホットメルト接着剤により接合されている。この付着片２２ａ，２２ｂは、破断部１７ａ，１７ｂを破断した際に、このパンツ１の止着のために用いられるものであり、前腹部２の外面側において、左右の破断部１７ａ，１７ｂを跨ぐように設けられている。中前腹部２ｃの外面側における左右縁部には、付着片２２ａ，２２ｂを付着させるための左右の付着部２３ａ，２３ｂがそれぞれ設けられている。
【００２８】
付着片２２ａ，２２ｂの付着部２３ａ，２３ｂに対向し得る側の面（肌面側）には、付着部２４がそれぞれ設けられている。これらの付着部２４は、中前腹部２ｃに設けられた付着部２３ａ，２３ｂに対して着脱自在に付着するようになっている。
【００２９】
付着部２３ａ，２３ｂの具体例としては、表面に微細なループ構造が密に形成された不織布、織布、編み物等を有するループ材が考えられ、付着部２４の具体例としては、そのループ材に着脱自在に係合する微細なフック構造が表面に密に形成されたフック材が考えられる。また、付着部２３ａ，２３ｂの他の具体例としては、粘着剤との繰り返し剥離性を有するように表面処理、例えばピーロイル加工されたプラスチックフィルム等が考えられ、付着部２４の他の具体例としては、繰り返し利用可能な接着剤などが考えられる。なお、これらの付着部２３ａ，２３ｂ及び付着部２４についての２つの具体例において、付着部２３ａ，２３ｂ側の構成と付着部２４側の構成を入れ替えてもよい。
【００３０】
このような構成により、左右の付着片２２ａ，２２ｂを付着部２３ａ，２３ｂから引き剥がし、左右方向外方に引っ張ると、図３に示すように、破断部１７ａ，１７ｂが破れて、左右の前腹部２ａ，２ｂが付着片２２ａ，２２ｂと一体となって左右両側に展開する。
【００３１】
このように、この使い捨てパンツ１は、図１に示すように、破断部１７ａ，１７ｂを破断する前の製品出荷時の状態ではパンツとして機能し、付着片２２ａ，２２ｂ等の開閉手段のない通常の使い捨てパンツと同様に容易に上げ下げできるようになっている。
【００３２】
また、この使い捨てパンツ１がパンツ状態で着用させている場合において、後述する吸収体４３が排泄物を吸収、保持した場合には、付着片２２ａ，２２ｂを付着部２３ａ，２３ｂから引き剥がし、破断部１７ａ，１７ｂを破断して展開して、パンツ１を着用者から容易に取り除くことができる。この場合、着用者の衣服を脱がさなくとも、パンツ１の取外しができる。
【００３３】
また、付着片２２ａ，２２ｂの仮付部３０を引き剥がして破断部１７ａ，１７ｂを破断し、前腹部２を展開して、パンツ１の内部の汚染状況を確認した後、付着片２２ａ，２２ｂを付着部２３ａ，２３ｂに係合させて、パンツ１を元のパンツ状態に戻すことができる。また、このパンツ１と尿取りパット等の補助パットとを併用しているときにも、付着片２２ａ，２２ｂを着脱して補助パットの交換等を容易に行うことができる。
【００３４】
また、着用させる前に、パンツ１を図３に示す状態に展開しておいて着用者の臀部にあてがうことにより、このパンツ１を通常の使い捨ておむつのように利用することもできる。この場合、着用者の衣服を脱がさなくとも、パンツ１の着用及び取り外しができる。
【００３５】
［股部］
股部４は、図３に示す伸張させた展開状態において、全体形状としては前後方向に延びる略帯状の形態を有し、前股部４ａ、後股部４ｂ、及びそれらの中間に位置する中股部４ｃを備え、主に中股部４ｃを中心として着用者の股間部にあてがわれる。前股部４ａは、図３に示すように、中前腹部２ｃの内面側に重ね合わされた状態で中前腹部２ｃと連結されている。後股部４ｂは、図３に示すように、後背部３の内面側に重ね合わされた状態で後背部３と接着固定されている。このような股部４の左縁部１６ａ及び右縁部１６ｂには、脚用弾性部材４０ａ，４０ｂが縁部１６ａ，１６ｂの延設方向に伸張された状態で取り付けられている。
【００３６】
股部４は、図４に示すように、透液性のトップシート４１と不透液性のバックシート４２との間に、吸収体４３を挟み込んで構成されている。吸収体４３は、所定の横幅を有し、中股部４ｃを中心にして前後方向に帯状に広がっている。股部４の前股部４ａ及び後股部４ｂにおいて、トップシート４１及びバックシート４２の吸収体４３から左右に張り出した部分４４ａ，４４ｂが、肌面側に折り返された状態で接合固定されている。この前後両端の肌面側への折り返し構造と、脚用弾性部材４０ａ，４０ｂの収縮力との働きにより、股部４の左右両側の縁部が肌面側に立ち上がり、着用者の脚にフィットするようになっている。脚用弾性部材４０ａ，４０ｂは、トップシート４１とバックシート４２との間に挟み込まれた状態で接着固定されている。
【００３７】
例えば、トップシート４１は透液性の不織布等により構成され、バックシート４２は撥水性不織布等により構成される。また、吸収体４３は、例えば、粉砕したパルプ繊維やセルロース繊維等の親水性繊維集合層に粒状の高分子吸収体を混合した塊をティッシュペーパーなどの紙シート又は透液性不織布シート等の被覆シートで包み、所定形状に成形されたものである。
【００３８】
なお、股部４の構成の変形例として、吸収体４３をシート４１，４２の間に挟み込むのではなく、吸収体４３をシート４２の肌面側に貼着し、シート４１を省略する構成としてもよい。あるいは、吸収体４３の前後の端部にシートを接合したものを股部４として用いるようにしてもよく、大型の吸収体４３を用いてその吸収体４３自体を股部４として用い、シート４１，４２を省略するようにしてもよい。
【００３９】
［股部と前腹部との連結構造］
前股部４ａと中前腹部２ｃとの連結は、連結部として機能する複数（例えば、２つ）のシート材４５ａ，４５ｂを用いて行われている。シート材４５ａ，４５ｂは、柔軟に変形する材料により形成され、中前腹部２ｃの縦寸法とほぼ等しいか、若干小さい縦寸法を有している。そして、シート材４５ａ，４５ｂは、パンツ１の上方から見て略Ｕ字状に弛まされた状態で、その一端側４６ａ，４６ｂが中前腹部２ｃに接着剤（例えば、ホットメルト接着剤）等により接合され、他端側４７ａ，４７ｂが前股部４ａに接着剤（例えば、ホットメルト接着剤）等により接合されている。このようなシート材４５ａ，４５ｂは、左右方向に所定の間隔をあけて左右対称に設けられている。
【００４０】
このため、前股部４ａに実質的に影響されずに、シート材４５ａ，４５ｂの余裕長さの分だけ、中前腹部２ｃが弾性部材１９ｃ，２０ｃ，２１ｃによって自由に伸縮するようになっている。
【００４１】
［後背部］
後背部３は、図３に示すように、展開すると略矩形の左右下側の角を略斜めに切り落としたような形態を有し、着用者の背面側の腰回り部から臀部にかけた部分にあてがわれる。このため、この後背部３は、着用者の背面側の腰回り部に主に位置する平面視略横長帯状の腰回り部３ａと、その腰回り部３ａの下側に連なり着用者の臀部に主に位置する平面視略台形状の臀部３ｂとを備えている。腰回り部３ａの上縁部１３には、ウエスト用弾性部材５１が左右方向に伸張された状態で取り付けられており、腰回り部３ａのそれ以外の領域における股部２の吸収体４３と重ならない部分には、ボディ用弾性部材５２が左右方向に伸張された状態で取り付けられている。
【００４２】
ここで、ボディ用弾性部材５２は、後背部３の製造工程において、後背部３の左右方向に沿って腰回り部３ａの対応する部分に連続的に配設された後、股部４（又はその吸収体４３）と重なり合う部分について弱化処理が施されるようになっている。
【００４３】
後背部３の左斜め下の傾斜状の縁部１５ａには、脚用弾性部材５３ａが縁部１５ａに沿って伸張された状態で取り付けられており、後背部３の右斜め下の傾斜状の縁部１５ｂには、脚用弾性部材５３ｂが縁部１５ｂに沿って伸張された状態で取り付けられている。これらの弾性部材５１，５２，５３ａ，５３ｂの収縮、伸張により後背部３が着用者の後背部及び臀部にフィットしやすくなっている。
【００４４】
ここで、脚用弾性部材５３ａ，５３ｂは、臀部３ｂの左右の傾斜状の縁部１５ａ，１５ｂ及び下縁部１５ｃに沿って連続的に臀部３ｂに取り付けられた後、少なくとも股部４の吸収体４３と重なる部分について、弱化処理が施されるようになっている。
【００４５】
［その他の構成及び各部の材料等］
弾性部材１９ａ〜１９ｃ，２０ａ〜２０ｃ，２１ａ〜２１ｃ，４０ａ，４０ｂ，４６，５３ａ，５３ｂとしては、通常使い捨てパンツに用いられる弾性伸縮材料（ポリウレタン糸、ポリウレタンフィルム、天然ゴム等）が用いられ、伸張状態でホットメルト接着剤、熱溶着、超音波溶着などの貼着手段によりパンツ１の所定部位に貼着される。
【００４６】
［まとめ］
以上のように、本実施形態に係る使い捨てパンツ１では、シート材４５ａ，４５ｂを用いて前股部４ａを中前腹部２ｃに連結するため、シート材４５ａ，４５ｂの余裕長の分だけ、股部４に実質的に影響されずに中前腹部２ｃが自由に伸縮することができ、その結果、弾性部材１９ｃ，２０ｃ，２１ｃによる中前腹部２ｃの伸縮性を確保しつつ、股部４と前腹部２との連結をしっかりと行うことができる。
【００４７】
［変形例］
前述の図４に示す股部４と前腹部２との連結構造の変形例として、例えば図５ないし図７に示す構成が考えられる。
【００４８】
図５に示す第１の変形例では、左右のシート材４５ａ，４５ｂの間に位置する幅狭の縦長筋状の連結部６１にて、前股部４ａと中前腹部２ｃとが接着剤（例えば、ホットメルト接着剤）を用いて直接的に連結されている。これによって、股部４が前腹部２に対して左右に位置ずれするのを防止することができるとともに、股部４の固定強度の向上が図れる。
【００４９】
図６に示す第２の変形例では、中前腹部２ｃと前股部４ａとが、左右方向に間隔をあけて設けられた複数（例えば、２つ）の連結部６２ａ，６２ｂにて、接着剤（例えば、ホットメルト接着剤）を用いて直接的に連結されている。図６の図示例では、縦長筋状の２つの連結部６２ａ，６２ｂが間隔をあけて左右対称に設けられている。より詳細には、中前腹部２ｃの伸縮に対する股部４の影響を少しでも軽減すべく、連結部６２ａ，６２ｂは破断部１７ａ，１７ｂに近接して形成され、互いの間隔を最大限に確保している。また、中前腹部２ｃの付着部２３ａ，２３ｂを設けた部分は、必ずしも伸縮性を必要とはしないため、連結部６２ａ，６２ｂはこの付着部２３ａ，２３ｂに対応してその反対面側（肌面側）に設けられている。
【００５０】
このような図６に示す構成により、中前腹部２ｃの伸縮に応じて、中前腹部２ｃと連結されていない股部４の連結部６２ａ，６２ｂの間に位置する部分が柔軟に変形し得る。このため、股部４の中前腹部２ｃの伸縮に対する影響を軽減することができ、その結果、弾性部材１９ｃ，２０ｃ，２１ｃによる中前腹部２ｃの伸縮性を確保しつつ、股部４と前腹部２との連結をしっかりと行うことができる。
【００５１】
図７に示す第３の変形例では、前述の図４に示す構成と図６に示す構成とを組み合わせた構成を有している。すなわち、図６に示す構成を基本構成として、左右の連結部６２ａ，６２ｂの間の領域に、図４に示すシート材４５ａ，４５ｂを用いた連結構造を設けている。これによって、連結部６２ａ，６２ｂの間に位置する股部４の部分が肌面側に浮き上がってしまったり、変形するのを防止することができるとともに、股部４の固定強度の向上が図れる。
【００５２】
［第２実施形態］
図８ないし図１３を参照して、本発明の第２実施形態に係る使い捨てパンツ７１について説明する。この使い捨てパンツ７１は、付着片２２ａ，２２ｂ等の止着構造、股部４の前腹部２への連結構造、及び弾性部材の配設形態等が異なるのみで、他の構成は前述の第１実施形態に係る使い捨てパンツ１とほぼ同様である。よって、パンツ７１に構成において、前記パンツ１と共通する部分には同一の参照符号を付して説明を省略する。
【００５３】
本実施形態に係る使い捨てパンツ７１では、図８ないし図１３に示すように、中前腹部２ｃには、上縁部１２ｃのウエスト用弾性部材（第１の弾性伸縮部材）１９ｃのみが設けられ、中前腹部２ｃに設けられる他の弾性部材２０ｃ，２１ｃは弱化処理が施されている。
【００５４】
また、図９及び図１０に示すように、前股部４ａにおける吸収体４３の上端部よりも上方に位置する部分（例えば、前股部４ａの上縁部７２）にも、ウエスト用弾性部材（第２の弾性伸縮部材）７３が設けられている。このウエスト用弾性部材７３は、左右方向に伸張された状態で股部４のトップシート４１とバックシート４２との間に挟み込まれて取り付けられている。
【００５５】
そして、前股部４ａが中前腹部２ｃに肌面側からその対向面のほぼ全面で接着剤（例えば、ホットメルト接着剤）７４によって接合されている。この接合状態において、図１０ないし図１２に示すように、股部４の吸収体４３は、ウエスト用弾性部材１９ｃ，７３による中前腹部２ｃ及び前股部４ａの上側部分の伸縮を阻害しないように、中前腹部２ｃのウエスト用弾性部材１９ｃが設けられた部分よりも下側に位置されている。また、前股部４ａの上縁部７２は中前腹部２ｃの上縁部１２ｃとほぼ揃えられており、この状態で両ウエスト用弾性部材１９ｃ，７３が互いに対向している。
【００５６】
また、ウエスト用弾性部材１９ｃは、図８に示すように中前腹部２ｃの左右端から第１の所定寸法Ｄ１だけ左右方向内方側の領域Ａ１に設けられており、ウエスト用弾性部材７３も、図９に示すように前股部４ａの左右端から第２の所定寸法Ｄ２だけ左右方向内方側の領域Ａ２に設けられている。領域Ａ１，Ａ２の左右幅寸法はほぼ等しく設定されている。これによって、中前腹部２ｃ及び前股部４ａの上側部分における左右縁部７５ａ，７５ｂは、弾性部材１９ａ，７３が設けられていないため、破断部１７ａ，１７ｂが破断されて破断してパンツ７１が図９に示すように展開された際にも、縮まないようになっている。
【００５７】
また、本実施形態では、工場出荷時は図８及び図１１に示すように、左右の付着片２２ａ，２２ｂが前腹部２の肌面側に折り畳まれた状態で備えられている。
【００５８】
また、中前腹部２ｃの外面側表面が付着部として機能するようになっており、前述の付着部２３ａ，２３ｂが省略されている。
【００５９】
パンツ７１をおむつとして使用する場合には、図９に示すように、左右の破断部１７ａ，１７ｂを破断してパンツ７１をおむつ状に展開し、折り畳まれている左右の付着片２２ａ，２２ｂを展開させる。そして、パンツ７１を着用者の股間部にあてがった状態で、図１３に示すように、左右の付着片２２ａ，２２ｂの付着部２４を中前腹部２ｃの外面側表面に付着させる。このとき、中前腹部２ｃ及び前股部４ａの上側部分における左右縁部７５ａ，７５ｂが縮まないようになっているため、その左右縁部７５ａ，７５ｂをつまんで中前腹部２ｃ及び前股部４ａを容易に引き伸ばして着用者の肌に添わせることができる。
【００６０】
以上のように、本実施形態によれば、中前腹部２ｃのウエスト用弾性部材１９ｃが設けられた領域から吸収体４３を下方にずらした状態で、前股部４ａを中前腹部２ｃに接合するため、弾性部材１９ｃが設けられた中前腹部２ｃの部分の伸縮性が伸縮性に乏しい股部４の吸収体４３によって阻害されるのを防止して、弾性部材１９ｃによる中前腹部２ｃの伸縮性を確保しつつ、股部４を前腹部２にしっかりと接合することができる。
【００６１】
また、中前腹部２ｃの弾性部材１９ｃが設けられた領域から吸収体４３が下方にずらされているため、本実施形態のように股部２と中前腹部２ｃとの対向面の実質的に全面で接着剤による接合を行っても、弾性部材１９ｃによる中前腹部２ｃの伸縮性を維持することができる。
【００６２】
また、前股部４ａにおける吸収体４３の上端部よりも上側に位置する部分にもウエスト用弾性部材７３を設けることにより、中前腹部２ｃの伸縮性を維持又は増強することができる。
【００６３】
また、中前腹部２ｃ及び前股部４ａの上側部分における左右縁部７５ａ，７５ｂが縮まないようになっているため、その左右縁部７５ａ，７５ｂをつまんで中前腹部２ｃ及び前股部４ａを引き伸ばして着用者の肌に添わせる等の作業を容易に行うことができる。
【図面の簡単な説明】
【００６４】
【図１】本発明の第１実施形態に係る使い捨てパンツの正面図である。
【図２】図１の使い捨てパンツの右付着片を破断した図である。
【図３】図１の使い捨てパンツの左右の破断部を破断して股部を展開した状態を示す図である。
【図４】図１の使い捨てパンツのＣ１−Ｃ１線に沿った部分の断面図である。
【図５】図４の構成の第１の変形例を示す断面図である。
【図６】図４の構成の第２の変形例を示す断面図である。
【図７】図４の構成の第３の変形例を示す断面図である。
【図８】本発明の第２実施形態に係る使い捨てパンツの正面図である。
【図９】図８の使い捨てパンツの左右の破断部を破断して股部を展開した状態を示す図である。
【図１０】図８の使い捨てパンツのＣ２−Ｃ２線に沿った部分の断面図である。
【図１１】図８の使い捨てパンツのＣ３−Ｃ３線に沿った部分の断面図である。
【図１２】図８の使い捨てパンツのＣ４−Ｃ４線に沿った部分の断面図である。
【図１３】図８の使い捨てパンツのおむつとしての使用状態を示す図である。
【符号の説明】
【００６５】
１  使い捨てパンツ、２  前腹部、２ａ  左前腹部、２ｂ  右前腹部、２ｃ  中前腹部、３  後背部、３ａ  腰回り部、３ｂ  臀部、４  股部、４ａ  前股部、４ｂ  後股部、４ｃ  中股部、１７ａ，１７ｂ  破断部、１９ａ〜１９ｃ  ウエスト用弾性部材、２０ａ，２０ｂ  脚用弾性部材、２０ｃ  前腹下部用弾性部材、２１ａ〜２１ｃ  ボディ用弾性部材、２２ａ，２２ｂ  付着片、２３ａ，２３ｂ  付着部、２４  付着部、４０ａ，４０ｂ  脚用弾性部材、４１  トップシート、４２  バックシート、４３  吸収体、４４ａ，４４ｂ  折り返し部分、４５ａ，４５ｂ  シート材、５１  ウエスト用弾性部材、５２  ボディ用弾性部材、５３ａ，５３ｂ  脚用弾性部材、５７  内層シート、５８  外層シート、７１  使い捨てパンツ、７３  ウエスト用弾性部材
【図１】
2006158607.tif 000003
【図２】
2006158607.tif 000004
【図３】
2006158607.tif 000005
【図４】
2006158607.tif 000006
【図５】
2006158607.tif 000007
【図６】
2006158607.tif 000008
【図７】
2006158607.tif 000009
【図８】
2006158607.tif 000010
【図９】
2006158607.tif 000011
【図１０】
2006158607.tif 000012
【図１１】
2006158607.tif 000013
【図１２】
2006158607.tif 000014
【図１３】
2006158607.tif 000015